(57)【要約】【課題】簡単な構成で容易に乗りかごのバランスを調整することができるとともに、乗りかごの設置作業における作業効率の向上及び作業員の作業安全性をも図ることのできるエレベータを提供することができる。【解決手段】昇降路６内を昇降する乗りかご３を取り付けるかご枠３ａと、ワイヤーロープ２を掛け渡されたかごシーブ３ｄを取り付けるかごシーブ取付ビーム３ｃと、かご枠３ａとかごシーブ取付ビーム３ｃとを連結する支持材８と、支持材８をかご枠３ａとかごシーブ取付ビーム３ｃとの間でその位置を変化させる可動装置９と、ワイヤーロープ２を送り動作させて乗りかご３を昇降させる巻上機５と、巻上機５に掛かるワイヤーロープ２に連結される釣り合い重り４とを備える。【選択図】図１
2009196790.tif 000002
【特許請求の範囲】
【請求項１】
昇降路内を昇降する乗りかごを取り付けるかご枠と、
ワイヤーロープを掛け渡されたかごシーブを取り付けるかごシーブ取付ビームと、
前記かご枠と前記かごシーブ取付ビームとを連結する支持材と、
前記支持材を前記かご枠と前記かごシーブ取付ビームとの間でその位置を変化させる可動装置と、
前記ワイヤーロープを送り動作させて前記乗りかごを昇降させる巻上機と、
前記巻上機に掛かる前記ワイヤーロープに連結される釣り合い重りと、
を備えることを特徴とするエレベータ。
【請求項２】
昇降路内を昇降する乗りかごを取り付けるかご枠と、
ワイヤーロープを掛け渡されたかごシーブを取り付けるかごシーブ取付ビームと、
前記かご枠とかごシーブ取付ビームとを連結する支持材と、
前記かご枠、或いは前記かごシーブ取付ビームを移動させて前記かご枠と前記かごシーブ取付ビームとの相対的な位置を変化させる可動装置と、
前記ワイヤーロープを送り動作させて前記乗りかごを昇降させる巻上機と、
前記巻上機に掛かる前記ワイヤーロープに連結される釣り合い重りと、
を備えることを特徴とするエレベータ。
【請求項３】
前記可動装置は、手動式若しくは電動式の歯車機構であることを特徴とする請求項１または請求項２に記載のエレベータ。
【請求項４】
前記可動装置は、手動式若しくは電動式のジャッキであることを特徴とする請求項１または請求項２に記載のエレベータ。
【発明の詳細な説明】
【技術分野】
【０００１】
本発明は、乗りかごのバランスを簡易に調整することのできるエレベータに関する。
【背景技術】
【０００２】
一般的に、ワイヤーロープトラクション式のエレベータにおいては、ワイヤーロープの両端に乗りかご及び釣り合い重りが結合される。このうち、箱体状の乗りかごの重心位置は、エレベータの仕様によっても異なるが、例えば、奥行き方向のやや前方側４５％ないし４８％のところに偏って重心位置が位置する。これは、一般的には出入口側（前方側）に乗りかごに据え付けられるドア機構や乗りかご内操作盤等が設けられることからである。また、乗りかご用の空気調和機等、乗りかごに据え付けられる機材や乗りかごを形成するのに必要な機材が、乗りかごのいずれかの側壁面や乗りかご上に適宜配置されることによっても重心位置が変化する。
【０００３】
このような配置がなされることによって生ずる乗りかごの重心位置の偏りが乗りかごの傾きを招き、ガイドレールとガイドシューとの間に適切なランニングクリアランスが得られなくなることにつながる。このような状態では、昇降の際にガイドレールの継ぎ目に生じた段差等で振動が生じ、乗り心地を損なう要因となる。また、乗りかごのバランスが崩れると着床の際に乗りかごの敷居と乗場敷居に段差ができる。
【０００４】
さらに、乗りかごをワイヤーロープで吊り下げ静止した状態でバランスが取れていたとしても、乗客を乗せたときには乗りかご内の乗客の位置によって重心位置が移動し、乗りかごが傾くことがある。例えば、展望用エレベータでは、乗客は見通しの良い奥の方に片寄って立つので重心位置は後方に偏り、乗りかごが傾くことがある。
【０００５】
乗りかごの傾きを補正し、エレベータの乗り心地を改善する１つの方法として、バランスウエイトを乗りかごの床下や乗りかご上に積み、乗りかごのバランスを取る方法がある。但し、この方法では乗りかごの自重が増大することになるため、その自重に釣り合うように釣り合い重りを重くする必要があり、この重量の増大は巻上機の負担増を招く等、エレベータの各所に負担を掛けることになるので適当ではない。
【０００６】
そこで、バランスウエイトを使用せず重心位置の偏りを少しでも小さくするべく、乗りかごのかご枠に取り付けられ、ガイドシューを水平方向に移動可能とする駆動機構を具備するエレベータが提案されている（特許文献１参照）。
【特許文献１】特開２００５−３４３６０６号公報
【発明の開示】
【発明が解決しようとする課題】
【０００７】
しかしながら、特許文献１に開示された発明によれば、乗りかごの水平方向の傾斜角度を検知する姿勢センサからの情報に基づいて駆動機構が駆動し、乗りかごのバランスを調整する。つまり、乗りかごが傾くとその都度調整を行うことになり、駆動機構はそのような場面での使用を考えており、乗りかごを設置する場面（完全な静止状態となっている場面）でのことは考えていない。
【０００８】
すなわち、エレベータの設置に当たって、乗りかごを傾くことなく設置することは当然求められることである。この時点での乗りかごの重心位置は、計算等によって算出されているが、実際に据え付ける場合にはその建物等の諸条件に合わせて微調整する必要が出てくる。このときに微調整が簡単に行うことができないと据え付け作業の時間の延長等を招き作業効率が低下する。また、複雑な操作手順では、作業効率の向上は望めず、また、作業安全性の低下も招きかねない。
【０００９】
本発明は上記課題を解決するためになされたものであり、本発明の目的は、簡単な構成で容易に乗りかごのバランスを調整することができるとともに、乗りかごの設置作業における作業効率の向上及び作業員の作業安全性をも図ることのできるエレベータを提供することである。
【課題を解決するための手段】
【００１０】
本発明の実施の形態に係る第１の特徴は、エレベータにおいて、昇降路内を昇降する乗りかごを取り付けるかご枠と、ワイヤーロープを掛け渡されたかごシーブを取り付けるかごシーブ取付ビームと、かご枠とかごシーブ取付ビームとを連結する支持材と、支持材をかご枠とかごシーブ取付ビームとの間でその位置を変化させる可動装置と、ワイヤーロープを送り動作させて乗りかごを昇降させる巻上機と、巻上機に掛かるワイヤーロープに連結される釣り合い重りとを備える。
【００１１】
本発明の実施の形態に係る第２の特徴は、エレベータにおいて、昇降路内を昇降する乗りかごを取り付けるかご枠と、ワイヤーロープを掛け渡されたかごシーブを取り付けるかごシーブ取付ビームと、かご枠とかごシーブ取付ビームとを連結する支持材と、かご枠、或いはかごシーブ取付ビームを移動させてかご枠とかごシーブ取付ビームとの相対的な位置を変化させる可動装置と、ワイヤーロープを送り動作させて乗りかごを昇降させる巻上機と、巻上機に掛かるワイヤーロープに連結される釣り合い重りとを備える。
【発明の効果】
【００１２】
本発明によれば、簡単な構成で容易に乗りかごのバランスを調整することができるとともに、乗りかごの設置作業における作業効率の向上及び作業員の作業安全性をも図ることのできるエレベータを提供することができる。
【発明を実施するための最良の形態】
【００１３】
以下、本発明の実施の形態について図面を参照して詳細に説明する。
【００１４】
（第１の実施の形態）
図１は、エレベータ１、中でも特にワイヤーロープトラクション式のエレベータの構成を示す全体図である。このエレベータ１においては、２ヶ所に設けられたロープヒッチＲＨにその両端を接続されたワイヤーロープ２が、人や荷物等が乗る乗りかご３と釣り合い重り４とに連結されたシーブに巻き掛けられている。また、乗りかご３と釣り合い重り４との間におけるワイヤーロープ２は巻上機５のトラクションシーブ５ａに巻き掛けられており、この巻上機５がワイヤーロープ２を巻き上げたり降ろしたりすることで昇降路６内を乗りかご３と釣り合い重り４とが昇降する。
【００１５】
また、落下したときの衝撃を和らげるための緩衝器として、乗りかご３の直下に緩衝器７ａ、７ｂが、釣り合い重り４の直下には緩衝器７ｃがそれぞれ設けられている。
【００１６】
乗りかご３は、かご枠３ａに接続固定されるとともに、その上部には、例えば空気調和機や通信機器等の付属品３ｂが取り付けられている。かご枠３ａの下部には一対のかごシーブ３ｄが取り付けられたかごシーブ取付ビーム３ｃが支持材８を介して連結されている。すなわち、この支持材８を介してかご枠３ａ（乗りかご３）はかごシーブ取付ビーム３ｃ上に支えられることになる。この一対のかごシーブ３ｄにはワイヤーロープ２が掛け渡されている。そのため、例えば、巻上機５がワイヤーロープ２を巻き上げると、かごシーブ３ｄ，３ｄが回転して乗りかご３を上昇させる。
【００１７】
支持材８は、図１に示す本発明の実施の形態におけるエレベータ１においてはかごシーブ取付ビーム３ｃ上に２つ設けられ、この上でかご枠３ａがバランスを取って接続されている。この支持材８には可動装置９が設けられており、可動装置９を動かすことによってかごシーブ取付ビーム３ｃ上でかご枠３ａ（乗りかご３）を支える支持材８の位置が水平方向に変化させることができる。
【００１８】
図２は、図１の破線で示す円内に表わされた支持材８に取り付けられた可動装置９の一例を拡大して示す説明図である。図２では、可動装置９として歯車機構、詳しくはラック＆ピニオン機構が示されている。かご枠３ａ及びかごシーブ取付ビーム３ｃにはラック９ａが接続固定され、支持材８には回転自在にピニオン９ｂが取り付けられている。図２におけるラック＆ピニオン機構では、２つのピニオン９ｂ，９ｂがそれぞれ図２に示す矢印方向に回転することによって、ピニオン９ｂ，９ｂがそれぞれラック９ａ，９ａと噛み合って支持材８を矢印方向へと移動させる。可動装置９によって乗りかご３の重心に合った位置に支持材８を移動させることができ、それによって乗りかご３のバランスを最適な状態に調整することが可能になる。
【００１９】
図３は、支持材８とかご枠３ａ及びかごシーブ取付ビーム３ｃとの関係を、昇降路６から支持材８を見て、かつ拡大して示す部分拡大図である。かご枠３ａ及びかごシーブ取付ビーム３ｃは、支持材８の上下に設けられた溝１０に移動可能に嵌め合わされている。また、支持材８にはボルト１１が複数取り付けられており、これらのボルト１１を緩めたり、或いは、締めることでかご枠３ａ及びかごシーブ取付ビーム３ｃは適宜この溝１０を移動、或いは固定される。図３は、ボルト１１を緩めた状態を示している。一方、ボルト１１を締めて支持材８にかご枠３ａ及びかごシーブ取付ビーム３ｃを固定する場合は、万力の応用で支持材８とかご枠３ａ及びかごシーブ取付ビーム３ｃの両者の締結を可能とする。
【００２０】
ここで、支持材８を移動させるにあたって、可動装置９（ピニオン９ｂ，９ｂ）は手動で動かされる形式のものであっても電動で動かされる形式のものであっても構わない。ただ、電動式の場合、可動装置９を駆動するための電源は、エレベータ１の制御盤から供給されるものであっても、或いは直接可動装置９に接続して電源を供給するものであっても良い。
【００２１】
図４は、支持材８を移動させる可動装置９の別の例を示している。図４では、ジャッキを利用している。可動装置９としてのジャッキ９ｃは、かごシーブ取付ビーム３ｃに接続固定された固定板９ｄにその一端が固定され、他端は支持材８に固定されている。このような状態で、ジャッキ９ｃを伸縮させると支持材８が固定板９ｄに近づいたり、或いは遠のいたりと、水平方向（図４の矢印方向）にその位置を移動させることが可能となる。従って、可動装置９によって乗りかご３の重心に合った位置に支持材８を移動させることができ、それによって乗りかご３のバランスを最適な状態に調整することが可能になる。
【００２２】
なお、ジャッキ９ｃは、機械式のねじジャッキ（パンタグラフ式、ボールネジ式、ラチェット式等）やラック駆動ジャッキであっても、或いは、液体作動式ジャッキである油圧ジャッキであっても良い。
【００２３】
このように簡単な構成の可動装置９を使用して支持材８を水平方向に移動させることによって、乗りかご３のバランスを容易に最適な状態に調整することが可能になるともに、乗りかごの設置作業における作業効率の向上及び作業員の作業安全性をも図ることのできるエレベータを提供することができる。
【００２４】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００２５】
第１の実施の形態においては、乗りかご３の重心位置でバランスを取るために可動装置９によって支持材８をかご枠３ａとかごシーブ取付ビーム３ｃとの間で最適な位置に移動させていた。本発明の第２の実施の形態においては、乗りかご３の重心位置に合わせて乗りかご３を支える位置を変更することによって乗りかご３のバランスを調整する方法として、バランスを調整するために移動させる対象を支持材８ではなく、かご枠３ａ、或いは、かごシーブ取付ビーム３ｃとした点に特徴がある。
【００２６】
図５は、図１における乗りかごの部分を抜き出して拡大して示す説明図である。第２の実施の形態における乗りかご３とかごシーブ取付ビーム３ｃとの位置は、上述した第１の実施の形態の乗りかご３とかごシーブ取付ビーム３ｃとの位置に比べて距離Ｌ分だけずれている。すなわち、乗りかご３の位置はそのままでかごシーブ取付ビーム３ｃが水平方向に（図５の場合は右方向に）距離Ｌ分移動している。
【００２７】
かごシーブ取付ビーム３ｃが距離Ｌ分移動することによってワイヤーロープ２はロープヒッチＲＨ或いは、巻上機５との間で垂直にはならず、少し傾くことになる。この距離Ｌは、ワイヤーロープ２とかご枠３ａとの接触やロープヒッチＲＨ、巻上機５との間におけるワイヤーロープ２との傾きを考慮して決定される。
【００２８】
かごシーブ取付ビーム３ｃの移動を行うための可動装置９としては様々な装置を採用することができるが、例えば、上述した第１の実施の形態のように、可動装置９としての歯車機構やジャッキを採用することができる。但し、第２の実施の形態においては、かごシーブ取付ビーム３ｃと支持材８とは接続固定されており、かご枠３ａと支持材８との間は移動可能にされている。
【００２９】
なお、第２の実施の形態においては、かごシーブ取付ビーム３ｃを移動させた例を挙げて説明を行っているが、かごシーブ取付ビーム３ｃは移動させずかご枠３ａ（乗りかご３）を移動させることでバランスを調整するようにしてもよい。
【００３０】
このように簡単な構成の可動装置９を使用してかごシーブ取付ビーム３ｃ、或いは、かご枠３ａ（乗りかご３）を水平方向に移動させてその両者の相対的な位置を変更させることによって、乗りかご３のバランスを容易に最適な状態に調整することが可能になるともに、乗りかごの設置作業における作業効率の向上及び作業員の作業安全性をも図ることのできるエレベータを提供することができる。
【００３１】
なお、この発明は、上記実施の形態そのままに限定されるものではなく、実施段階ではその要旨を逸脱しない範囲で構成要素を変形して具体化できる。さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００３２】
【図１】本発明の実施の形態に係るエレベータの全体構成を示す図である。
【図２】図１の破線で示す円内に表わされた支持材に取り付けられた可動装置の一例を拡大して示す説明図である。
【図３】支持材とかご枠及びかごシーブ取付ビームとの関係を示す部分拡大図である。
【図４】図１の破線で示す円内に表わされた支持材に取り付けられた可動装置の他の例を拡大して示す説明図である。
【図５】図１における乗りかごの部分を抜き出して拡大して示す説明図である。
【符号の説明】
【００３３】
１  エレベータ
２  ワイヤーロープ
３  乗りかご
３ａ  かご枠
３ｂ  付属品
３ｃ  シーブ取付ビーム
３ｄ  かごシーブ
４  釣り合い重り
４ａ  釣り合い重りシーブ
５  巻上機
５ａ  トラクションシーブ
６  昇降路
７ａ、７ｂ、７ｃ  緩衝器
８  支持材
９  可動装置
１０  溝
１１  ボルト
【図１】
2009196790.tif 000003
【図２】
2009196790.tif 000004
【図３】
2009196790.tif 000005
【図４】
2009196790.tif 000006
【図５】
2009196790.tif 000007